(57)【要約】【課題】  仕掛け投入時の釣糸の振動及び捻れを抑える釣糸ガイド装置を提供する。【解決手段】  釣竿１１の基側に取付けて使用し、釣竿１１の基端部に設けられたリールからの釣糸を竿先ガイドに案内する釣糸ガイド装置１０であって、釣竿１１に固着する前後の釣竿固定部１７、１８、及び釣竿固定部１７、１８にその前端及び後端が連結され前後に滑りリング保持部１４、１５を備え、側面視して半円形又はＵ字形の湾曲部１６を有する支持部材１９と、前後の滑りリング保持部１４、１５にそれぞれ取付けられた第１、第２の滑りリング１２、１３とを有し、第１、第２の滑りリング１２、１３は平行又は傾斜し、釣竿１１の軸心に沿って並べて配置され、更に基側に設けられた第２の滑りリング１３の内径が、先側に設けられた第１の滑りリング１２の内径より大きくなっている。【選択図】        図１
2006025714.tif 000002
【特許請求の範囲】
【請求項１】
釣竿の基側に取付けて使用し、前記釣竿の基端部に設けられたリールからの釣糸を竿先ガイドに案内する釣糸ガイド装置であって、
前記釣竿に固着する前後の釣竿固定部、及び該釣竿固定部にその前端及び後端が連結され前後に滑りリング保持部を備え、側面視して半円形又はＵ字形の湾曲部を有する支持部材と、
前記前後の滑りリング保持部に、それぞれ取付けられた第１、第２の滑りリングとを有し、
しかも、前記第１、第２の滑りリングは平行又は傾斜し、前記釣竿の軸心に沿って並べて配置され、更に基側に設けられた前記第２の滑りリングの内径が、先側に設けられた前記第１の滑りリングの内径より大きくなっていることを特徴とする釣糸ガイド装置。
【請求項２】
釣竿の基側に取付けて使用し、前記釣竿の基端部に設けられたリールからの釣糸を竿先ガイドに案内する釣糸ガイド装置であって、
前記釣竿に固着する釣竿固定部、及び該釣竿固定部に連結され前後に滑りリング保持部を備える支持部材と、
前記前後の滑りリング保持部に、それぞれ取付けられた第１、第２の滑りリングと、
前記第１、第２の滑りリングの中間位置に保持部材を介して仮固定状態で配置可能なフック状ガイドとを有し、
前記フック状ガイドは、基端部が前記保持部材に回動可能に設けられて、仮固定位置から外すことが可能となって、更に、前記第１、第２の滑りリング及び前記仮固定位置にある前記フック状ガイドは前記釣竿の軸心に沿って並べて配置されていることを特徴とする釣糸ガイド装置。
【請求項３】
請求項２記載の釣糸ガイド装置において、前記フック状ガイドは、前記第１、第２の滑りリングの共通軸心に交叉する方向に進退可能となっていることを特徴とする釣糸ガイド装置。
【請求項４】
釣竿の基側に取付けて使用し、前記釣竿の基端部に設けられたリールからの釣糸を竿先ガイドに案内する釣糸ガイド装置であって、
前記釣竿に固着する釣竿固定部、及び該釣竿固定部に連結され前後に滑りリング保持部を備える支持部材と、
前記前後の滑りリング保持部に、それぞれ取付けられた第１、第２の滑りリングと、
前記第１、第２の滑りリングの中間位置に仮固定状態で配置可能なフック状ガイドとを有し、
前記フック状ガイドは、前記第１、第２の滑りリングの共通軸心に交叉する方向に進退可能で、かつ後退時には、前記第１、第２の滑りリングによって形成される円錐台の外に配置可能となっていることを特徴とする釣糸ガイド装置。
【請求項５】
請求項２〜４のいずれか１項に記載の釣糸ガイド装置において、前記フック状ガイドを固定するロック手段が設けられていることを特徴とする釣糸ガイド装置。
【請求項６】
請求項２〜５のいずれか１項に記載の釣糸ガイド装置において、前記支持部材は側面視して半円形又はＵ字形の湾曲部を有することを特徴とする釣糸ガイド装置。
【請求項７】
請求項１及び６のいずれか１項に記載の釣糸ガイド装置において、前記支持部材の前記湾曲部の底部には水抜き孔が設けられていることを特徴とする釣糸ガイド装置。
【請求項８】
請求項１〜７のいずれか１項に記載の釣糸ガイド装置において、前記支持部材の断面は円弧状となっていることを特徴とする釣糸ガイド装置。
【発明の詳細な説明】
【技術分野】
【０００１】
本発明は、仕掛け投入時の釣糸の振動及び捻れを抑える釣糸ガイド装置に関する。
【背景技術】
【０００２】
従来よりサーフ（投げ釣り）又はルアー釣りに使用される釣竿には、先側に向かってだんだん内径が小さくなる竿先ガイドが複数設けられている。そして、釣竿の基側には、例えば、釣竿の長手方向に軸を有して回転するドラム状のスプールを備え、このスプールに釣糸を巻き付ける巻き取り式のリール（いわゆる、スピニングリール）が取り外し可能に設けられている。リールのスプールの螺旋状に解かれた釣糸の進行方向は、スプールの軸心の向きと同じなので、仕掛け投入時には釣糸に捻れが生じ、波打ち又は振動しながら各竿先ガイド内を通過する。この際、釣糸の波打ちによって、釣糸と竿先ガイドとの摺動抵抗が大きくなり、釣糸の先部に設けられた仕掛けの投擲距離が制約されていた。
【０００３】
そこで、例えば、特許文献１には、外周に溝部を備えた糸案内用のローラを複数設け、リールからの釣糸を通過させて竿先ガイドに案内する投釣糸案内具が開示されている。また、特許文献２には、それぞれに釣糸を挿通する少なくとも３個の釣糸ガイドを偏心配置させ、釣糸の振動を防止する釣糸案内具が開示されている。
【０００４】
【特許文献１】実開平０５−０８８２６１号公報
【特許文献２】特許第３３４７３０７号公報
【発明の開示】
【発明が解決しようとする課題】
【０００５】
しかしながら、特許文献１の発明では、複数のローラが必要であり、その機構も複雑であうという問題があった。また、特許文献２の発明では、釣糸を挿通する３つのガイド孔が決まっているので、釣糸に対する抵抗や滑り具合も一様となり、釣り人の好みに応じて釣糸に抵抗を与えることはできないという問題があった。特に、図１〜図５に示す発明は、構造が複雑で比較的製造原価が高く、強度的にも問題があった。
本発明はかかる事情に鑑みてなされたもので、簡単な構造で仕掛け投入時の釣糸の振動及び捻れを抑えることができる釣糸ガイド装置を提供することを目的とする。
【課題を解決するための手段】
【０００６】
前記目的に沿う第１の発明に係る釣糸ガイド装置は、釣竿の基側に取付けて使用し、前記釣竿の基端部に設けられたリールからの釣糸を竿先ガイドに案内する釣糸ガイド装置であって、
前記釣竿に固着する前後の釣竿固定部、及び該釣竿固定部にその前端及び後端が連結され前後に滑りリング保持部を備え、側面視して半円形又はＵ字形の湾曲部を有する支持部材と、
前記前後の滑りリング保持部に、それぞれ取付けられた第１、第２の滑りリングとを有し、
しかも、前記第１、第２の滑りリングは平行又は傾斜し、前記釣竿の軸心に沿って並べて配置され、更に基側に設けられた前記第２の滑りリングの内径が、先側に設けられた前記第１の滑りリングの内径より大きくなっている。
【０００７】
前記目的に沿う第２の発明に係る釣糸ガイド装置は、釣竿の基側に取付けて使用し、前記釣竿の基端部に設けられたリールからの釣糸を竿先ガイドに案内する釣糸ガイド装置であって、
前記釣竿に固着する釣竿固定部、及び該釣竿固定部に連結され前後に滑りリング保持部を備える支持部材と、
前記前後の滑りリング保持部に、それぞれ取付けられた第１、第２の滑りリングと、
前記第１、第２の滑りリングの中間位置に保持部材を介して仮固定状態で配置可能なフック状ガイドとを有し、
前記フック状ガイドは、基端部が前記保持部材に回動可能に設けられて、仮固定位置から外すことが可能となって、更に、前記第１、第２の滑りリング及び前記仮固定位置にある前記フック状ガイドは前記釣竿の軸心に沿って並べて配置されている。
【０００８】
前記目的に沿う第３の発明に係る釣糸ガイド装置は、釣竿の基側に取付けて使用し、前記釣竿の基端部に設けられたリールからの釣糸を竿先ガイドに案内する釣糸ガイド装置であって、
前記釣竿に固着する釣竿固定部、及び該釣竿固定部に連結され前後に滑りリング保持部を備える支持部材と、
前記前後の滑りリング保持部に、それぞれ取付けられた第１、第２の滑りリングと、
前記第１、第２の滑りリングの中間位置に仮固定状態で配置可能なフック状ガイドとを有し、
前記フック状ガイドは、前記第１、第２の滑りリングの共通軸心に交叉する方向に進退可能で、かつ後退時には、前記第１、第２の滑りリングによって形成される円錐台の外に配置可能となっている。
【発明の効果】
【０００９】
第１の発明に係る釣糸ガイド装置は、基側に設けられた第２の滑りリングの内径が、先側に設けられた第１の滑りリングの内径より大きくなっているので、仕掛け投入時に釣糸の振動及び捻れが抑えられ、仕掛けの投擲距離を伸ばすことができる。
【００１０】
第２の発明に係る釣糸ガイド装置は、第１、第２の滑りリングの中間位置にフック状ガイドを有するので、仕掛け投入時に釣糸をフック状ガイドで案内した場合、より仕掛けの投擲距離を伸ばすことができると共に、仕掛け投入後に釣糸をフック状ガイドで案内した場合、釣糸を伝わる魚信を手元に伝えることができる。また、フック状ガイドは、保持部材を介して回動可能となり、仮固定位置から外すことが可能であるので、フック状ガイドを使用しない場合、フック状ガイドを邪魔にならない位置に移動できる。
【００１１】
第３の発明に係る釣糸ガイド装置は、第１、第２の滑りリングの中間位置にフック状ガイドを有するので、仕掛け投入時に釣糸をフック状ガイドで案内した場合、より仕掛けの投擲距離を伸ばすことができると共に、仕掛け投入後に釣糸をフック状ガイドで案内した場合、釣糸を伝わる魚信を手元に伝えることができる。また、フック状ガイドは、保持部材を介して、第１、第２の滑りリングの共通軸心に交叉する方向に進退可能で、かつ後退時には、第１、第２の滑りリングによって形成される円錐台の外に配置可能となっているので、フック状ガイドを使用しない場合、フック状ガイドを邪魔にならない位置に移動できる。
【００１２】
第１〜第３の発明に係る釣糸ガイド装置において、支持部材の湾曲部の底部に水抜き孔を設けた場合には、半円形又はＵ字形の湾曲部の底部に溜まった水を排出でき、釣糸ガイド装置が錆びるのを防止できる。また、支持部材の断面を円弧状とした場合には、支持部材の強度を高めることができる。
【発明を実施するための最良の形態】
【００１３】
続いて、添付した図面を参照しつつ、本発明を具体化した実施の形態につき説明し、本発明の理解に供する。
ここで、図１は本発明の第１の実施の形態に係る釣糸ガイド装置の一部省略側断面図、図２（Ａ）は同釣糸ガイド装置の一部省略正面図、（Ｂ）は図２（Ａ）のＡ−Ａ断面図、図３（Ａ）は同釣糸ガイド装置の一部省略背面図、（Ｂ）は図３（Ａ）のＢ−Ｂ断面図、図４は同釣糸ガイド装置の底面図、図５は本発明の第２の実施の形態に係る釣糸ガイド装置の一部省略側断面図、図６は同釣糸ガイド装置のフック状ガイドの説明図、図７は同釣糸ガイド装置の一部省略正面図、図８は同釣糸ガイド装置の変形例に係る第２の壁部の説明図、図９は同釣糸ガイド装置の変形例に係る支持部材の説明図、図１０は本発明の第３の実施の形態に係る釣糸ガイド装置の一部省略側断面図、図１１は図１０のＣ−Ｃ断面図である。
【００１４】
図１、図２（Ａ）、（Ｂ）、図３（Ａ）、（Ｂ）、及び図４を参照して、本発明の第１の実施の形態に係る釣糸ガイド装置１０について説明する。
釣糸ガイド装置１０は、基端部（図１では左側）に図示しない巻き取り式のリール、先部側に図示しない複数の竿先ガイドがそれぞれ設けられた釣竿１１のリール及び竿先ガイドの中間位置で釣竿１１の下部となるように取付けて、リールから引き出された図示しない釣糸の振動及び捻れを抑えて竿先ガイドに案内する装置である。以下、詳しく説明する。
【００１５】
釣糸ガイド装置１０は、釣竿１１に固着する前後（前が先側、後が基側）の第１及び第２の釣竿固定部１７、１８を備えた支持部材１９を有している。支持部材１９は、更に第１及び第２の釣竿固定部１７、１８にその前端及び後端が連結される側面視してＵ字形となっている湾曲部１６を有している。なお、湾曲部は、側面視して半円形に形成してもよい。支持部材１９は、ステンレスの板材を打ち抜いた後、図２（Ｂ）及び図３（Ｂ）に示すように、プレスによって断面が円弧状となるように形成されている。なお、本実施の形態では、支持部材１９はステンレスで形成したが、チタン、チタン合金、アルミニウム合金、及びマグネシウム合金のいずれか１及び２以上を有する金属、又は硬質プラスチックで形成してもよく、板材の他に棒材で形成することもできる。
【００１６】
支持部材１９の第１及び第２の釣竿固定部１７、１８は、断面が円弧状となって、釣竿１１に固定する側の面が実質的に釣竿１１の周方向の形状に合わせて曲面となり、しかも、幅広に形成されて釣竿１１に固着し易くなっている。第１及び第２の釣竿固定部１７、１８を釣竿１１の外周に図示しない固定用糸で巻着し固定した後、固定用糸を樹脂によって環状にコーティングすることによって釣竿１１に固着している。
【００１７】
支持部材１９の湾曲部１６は、基部が第１の釣竿固定部１７の後端に取付けられ、釣竿１１の軸心に対して下向きに垂直に配置される第１の壁部２０と、基部が第２の釣竿固定部１８の前端に取付けられ、釣竿１１の軸心と垂直な面に対して０度を超え１０度以下、例えば４度前方に傾けて下向きに配置される第２の壁部２１と、第１の壁部２０の先部及び第２の壁部２１の先部を接続する連結部２２によって構成されている。また、支持部材１９の湾曲部１６の底部、すなわち、連結部２２は、第１及び第２の壁部２０、２１の下部に取付けられており、しかも、断面が円弧状となっているので、連結部２２の中央部に水抜き孔２３を設けて雨等によって溜まる水を除去し、釣糸ガイド装置１０が錆びるのを防いでいる。
【００１８】
ここで、第１の壁部２０には、断面円形のリング状の第１の滑りリング１２が取付けられる第１の滑りリング保持部１４が設けられ、第２の壁部２１には、断面円形のリング状の第２の滑りリング１３が取付けられる第２の滑りリング保持部１５が設けられている。第１及び第２の滑りリング保持部１４、１５の内側にそれぞれはめ込まれた第１及び第２の滑りリング１２、１３は、釣竿１１の軸心に沿ってそれぞれ前後に並べて配置されることになる。
【００１９】
第１及び第２の滑りリング１２、１３は、セラミック（例えば、ＳｉＣ、Ａｌ2 Ｏ3 、ＴｉＢ2 、ＷＣ、Ｓｉ3 Ｎ4 、又はｃ−ＢＮ）で形成され、それぞれ第１及び第２の滑りリング保持部１４、１５に例えば接着剤で取付けられている。第２の壁部２１が釣竿１１の軸心に垂直となった面に対して傾いて配置されているため、第１の滑りリング１２に対して、第２の滑りリング１３は傾斜して配置されている。なお、第２の壁部を釣竿１１の軸心と垂直に配置して第１及び第２の滑りリングを平行に配置してもよく、第２の壁部を釣竿１１の軸心と垂直に配置し、第１の壁部を釣竿１１の軸心と垂直な面に対して０度を超え１０度以下で後方に傾けて配置してもよい。
【００２０】
第１及び第２の滑りリング１２、１３が耐摩耗性を有するセラミック製であるので、釣糸が第１及び第２の滑りリング１２、１３に接触しても摩耗し難くなり、釣糸ガイド装置１０が長寿命となる。また、釣竿１１の基側に設けた第２の滑りリング１３の内径は、先側に設けた第１の滑りリング１２の内径よりも大きくなっている。リールから送られる釣糸は、第２の滑りリング１３、第１の滑りリング１２の順に通される。
【００２１】
なお、第１及び第２の滑りリング１２、１３は、本実施の形態のように断面円形のリング状に形成するのが好ましいが、内周面の断面形状を、例えば、楕円形又は曲線の組み合わせとしてもよい。また、第１及び第２の滑りリングは、釣糸が摩擦によって切れるのを防止するために、釣糸が接触する前後の部分を面取りしてもよい。また、本実施の形態では、第１及び第２の滑りリング１２、１３をセラミックで形成したが、ステンレス及びチタンのいずれか一方又は双方を含む耐食性及び耐摩耗性を有する金属で形成してもよい。第１及び第２の滑りリング１２、１３は、第１及び第２の滑りリング保持部１４、１５に接着剤によって取付けたが、ボルト等の固定具を使用して取付けてもよい。
【００２２】
次に、釣糸ガイド装置１０の使用方法について説明する。
まず、リールから引き出した釣糸を、第２の滑りリング１３、第１の滑りリング１２の順に通し、更に、複数の竿先ガイドに基側から順に挿通する。
次いで、釣糸の先端部に仕掛け及び錘を取付けて投擲する。仕掛け及び錘を投入すると、リールから螺旋状に旋回しながら釣糸が引き出される。この際に、釣糸は第２の滑りリング１３によって、旋回及び波打ちが抑制されると共に、第１及び第２の滑りリング１２、１３の一方又は双方の内周面に当接して、一定の摩擦力を受けながら釣竿１１の先側へと移動する。
【００２３】
釣糸は、錘による先側への引張力、及び釣糸ガイド装置１０による基側への摩擦力が働くので、釣竿１１に設けられた複数の竿先ガイド内を通過する際には直線状に移動する。しかも、第２の滑りリング１３の内径より小さい内径の第１の滑りリング１２を通過するので、釣糸は竿先ガイドにより直線的に移動し易くなる。また、釣糸ガイド装置１０の摩擦力は、第１及び第２の滑りリング１２、１３の周方向へも働くため、リールから引き出された釣糸に生じる捻れが釣糸ガイド装置１０の基側で大きくなる。
【００２４】
しかしながら、釣糸ガイド装置１０の先側の釣糸は直線状に移動しており、周方向への回動抵抗が少なくなっているので、釣糸ガイド装置１０の先側に送り出された釣糸は、大きな捻れが迅速に矯正されながら先側へと移動する。したがって、釣糸ガイド装置１０から送り出された釣糸は、釣竿１１や竿先ガイドに接触することが少なくなるので、仕掛け投入時の全体的な摺動抵抗が減少し、投擲距離を伸ばすことができる。また、釣糸の捻れが迅速に矯正されるので、竿先ガイドに釣糸がからみついて切断されることも少なくなる。
【００２５】
図５〜図７を参照して、本発明の第２の実施の形態に係る釣糸ガイド装置３０について説明する。なお、釣糸ガイド装置１０と同一の構成要素については同一の番号を付してその詳しい説明を省略する。
釣糸ガイド装置３０は、支持部材３４の湾曲部３３の第２の壁部３５に、保持部材３１を介して回動可能にフック状ガイド３２を取付けた点が、釣糸ガイド装置１０と異なっている。以下詳しく説明する。
【００２６】
釣糸ガイド装置３０は、前後の第１及び第２の釣竿固定部１７、１８と、第１の釣竿固定部１７の後端及び第２の釣竿固定部１８の前端にその前端及び後端が連結される側面視してＵ字形の湾曲部３３とを備えた支持部材３４を有している。湾曲部３３は、第１の滑りリング１２を取付ける第１の滑りリング保持部１４を備えた前側の第１の壁部２０と、第２の滑りリング１３を取付ける第２の滑りリング保持部１５を備えた後側の第２の壁部３５と、第２の壁部３５及び第１の壁部２０の先端にそれぞれ接続され、中央部に水抜き孔２３が設けられた連結部２２とを有している。
【００２７】
第２の壁部３５は、釣竿１１の軸心と垂直な面に対して０度を超え１０度以下、例えば４度前方に傾けて配置され、第２の滑りリング保持部１５の上部側には保持部材３１を取付ける貫通孔３６が設けられている。フック状ガイド３２は、先部に鉤状のフック部３７、及び基部に回動孔３８を備えた回動部３９を有し、更に回動部３９のフック部３７と回動孔３８をはさんで反対側の位置には回転すると下部にもなる半球状に後側に突出した凸部４０が設けられている。
【００２８】
また、保持部材３１は、フック状ガイド３２の回動孔３８を挿通し更に第２の壁部３５に設けられた貫通孔３６に前方から挿入される軸部４１を有するリベット４２と、リベット４２の基部に接触してフック状ガイド３２を後側に押し付けるスプリングワッシャー４６と、後側が第２の壁部３５の貫通孔３６の周囲に固着され、前側の上下にはフック状ガイド３２の凸部４０に対応する半球状の凹部４３、４４がそれぞれ設けられ、リベット４２の軸部４１を挿通する孔を有して、フック状ガイド３２を第２の壁部３５から前方に所定間隔をあけて配置させる筒状の位置決め部材４５と、リベット４２の軸部４１の先端部に固定され、リベット４２が第２の壁部３５からの脱落を防止するかしめリング４７とで構成されている。
【００２９】
これによって、フック状ガイド３２は、保持部材３１を介して第１及び第２の滑りリング１２、１３の中間位置に配置され、しかも、その基端部を第２の壁部３５に固定された保持部材３１に回動可能に取付けることができる。また、フック状ガイド３２の凸部４０、上下の凹部４３、４４が設けられた位置決め部材４５、及びフック状ガイド３２の凸部４０を位置決め部材４５側に押し付けて上下の凹部４３、４４にはめ込ませるスプリングワッシャー４６によって、フック状ガイド３２を固定するロック手段が構成され、フック状ガイド３２の凸部４０を位置決め部材４５の上下の凹部４３、４４のいずれかにはめ込むことによりフック状ガイド３２の配置位置を固定することができる。
【００３０】
第１及び第２の滑りリング１２、１３、及び仮固定位置（フック状ガイド３２の凸部４０を位置決め部材４５の上部の凹部４３にはめ込んでロックされた位置）にあるフック状ガイド３２は釣竿１１の軸心に沿って並べて配置されている。ここで、フック状ガイド３２の仮固定位置は、例えば、フック部３７の内周面の下部が第１及び第２の滑りリング１２、１３のそれぞれの内周面の上部を結ぶ線よりも実質的に釣糸の直径の長さ分下方となっている。
【００３１】
なお、回動孔からフック部までの距離を変えたフック状ガイドを使用して、フック状ガイドを釣糸の太さ及び釣り人の好みに合わせた位置に配置することができる。また、図７において２点鎖線で示すように、フック状ガイド３２の凸部４０を位置決め部材４５の上部の凹部４３から外し、フック状ガイド３２をリベット４２の軸部４１回りに回動させ、フック状ガイド３２の凸部４０を位置決め部材４５の下部の凹部４４にはめ込んで仮固定位置を外すことができる（以下、この位置を待機位置という）。
【００３２】
次に、釣糸ガイド装置３０の使用方法について説明する。
フック状ガイド３２を仕掛け投入時に使用しない場合、すなわち、フック状ガイド３２のフック部３７に釣糸を通さない場合には、フック状ガイド３２をフック部３７が回動孔３８の上側となるようにリベット４２の軸部４１を中心として回動させ、フック状ガイド３２の凸部４０を位置決め部材４５の下部の凹部４４に嵌入して待機位置に固定する。この場合、フック状ガイド３２のフック部３７は、回動孔３８の上方に配置される。リールから引き出され、第２の滑りリング１３、第１の滑りリング１２、及び複数の竿先ガイドに基側から順に挿通された釣糸は、フック状ガイド３２には接触せず、釣糸ガイド装置１０と同様に仕掛けを投擲できる。
【００３３】
フック状ガイド３２を仕掛け投入時に使用する場合、すなわち、フック状ガイド３２のフック部３７に釣糸を通す場合には、フック状ガイド３２をフック部３７が回動孔３８の下側となるようにリベット４２の軸部４１を中心として回動させ、フック状ガイド３２の凸部４０を位置決め部材４５の上部の凹部４３に嵌入して仮固定位置に固定する。この場合、フック状ガイド３２のフック部３７は、回動孔３８の下方に配置される。
【００３４】
次いで、リールから引き出された釣糸を、第２の滑りリング１３、第１の滑りリング１２、及び複数の竿先ガイドに基側から順に挿通した後、第２の滑りリング１３及び第１の滑りリング１２の中間位置にある釣糸をフック状ガイド３２のフック部３７の内周面に通す。なお、釣糸を第２の滑りリング１３及び第１の滑りリング１２に挿通する際にフック状ガイド３２のフック部３７の内周面にも通しておいてもよい。釣糸の先端部に仕掛け及び錘を取付けて投擲する。リールから螺旋状に旋回しながら引き出された釣糸は第２の滑りリング１３によって、旋回及び波打ちが抑制されると共に、第２の滑りリング１３、フック状ガイド３２のフック部３７、及び第１の滑りリング１２の１又は２以上の内周面に当接して、一定の摩擦力を受けながら釣竿１１の先側へと移動する。
【００３５】
仕掛け投入時にフック状ガイド３２を使用した場合は、使用しない場合に比べて投擲距離が伸び、しかも、第１及び第２の滑りリング１２、１３及びフック状ガイド３２のフック部３７の１又は２以上の内周面に当接することにより釣糸の振動及び捻れをより防止できる。これは、釣糸が釣竿１１や竿先ガイドに接触することがより少なくなり、仕掛け投入時の全体的な摺動抵抗が減少したためと解される。
【００３６】
また、フック状ガイド３２を仕掛け投入後に使用、すなわち、仮固定位置に配置した場合、釣糸が第１及び第２の滑りリング１２、１３、及びフック状ガイド３２のフック部３７の少なくとも１つに常時接触しているので、釣糸を伝わる魚信が釣糸ガイド装置３０を介して、釣竿１１に伝わり、手元に伝達することができる。また、魚信以外の海中の状態によって釣糸に発生する張力の変化も、釣糸ガイド装置３０を介して釣竿１１の基部側に伝達することができるので、仕掛け投入後の海中の様子を手元で感じることができる。
【００３７】
また、図８に示すように、釣糸ガイド装置３０の支持部材３４の第２の壁部３５の代わりに、上下方向の縦孔４８を有する第２の壁部４９を使用してフック状ガイド３２を第１及び第２の滑りリング１２、１３の共通軸心に交叉する方向に進退可能としてもよい。この場合は、縦孔４８及び位置決め部材に挿入される先部側の断面を矩形に、フック状ガイド３２の回動孔３８に挿通する基部側の断面を円形に形成した軸部を有する図示しないリベットと、第２の壁部４９に固着せず、リベットの軸部が貫通する矩形の貫通孔を有する図示しない位置決め部材を使用する。
【００３８】
ここで、リベットの軸部を縦孔４８に沿って上下方向に移動することにより、第１及び第２の滑りリング１２、１３の共通軸心に交叉する方向に進退可能となる。また、リベットの軸部の先側及び位置決め部材の貫通孔の断面形状が矩形であるので、位置決め部材は回転せず、従って、２つの凹部は常に上下に位置し、フック状ガイド３２を仮固定位置又は待機位置に固定することができる。これによって、貫通孔からフック部までの距離の異なるフック状ガイドに取り替えることなしに、フック状ガイドを釣糸の太さ及び釣り人の好みに合わせた位置に配置することができる。なお、縦孔４８は、支持部材の強度が損なわれないように形成している。
【００３９】
図９を参照して、釣糸ガイド装置３０の変形例に係る釣糸ガイド装置５０について説明する。なお、釣糸ガイド装置１０、３０と同一の構成要素については同一の番号を付してその詳しい説明を省略する。
釣糸ガイド装置５０は、側面視してコ字状となった支持部材５１を使用する点が釣糸ガイド装置３０と異なっている。
【００４０】
支持部材５１は、釣竿１１の外周に沿って断面円弧状に形成された釣竿固定部５２と、釣竿固定部５２の後端にその基端が連結され、第２の滑りリング１３を取付ける第２の滑りリング保持部５３及びフック状ガイド３２を支持する保持部材３１を取付ける貫通孔５４が設けられた第２の壁部５５と、釣竿固定部５２の前端にその基端が連結され、第１の滑りリング１２を取付ける第１の滑りリング保持部５６が設けられた第１の壁部５７を有している。釣糸ガイド装置５０は、釣竿固定部５２を釣竿１１の外周に図示しない固定用糸で巻着して固定した後、固定用糸を樹脂によって環状にコーティングして、釣竿１１に固着する。なお、釣糸ガイド装置５０の第１及び第２の壁部５７、５５のそれぞれの下部を連結部材で連結して、支持部材を側面視してロ字状に形成してもよい。
【００４１】
図１０及び図１１を参照して、本発明の第３の実施の形態に係る釣糸ガイド装置６０について説明する。なお、釣糸ガイド装置１０と同一の構成要素については同一の番号を付してその詳しい説明を省略する。
釣糸ガイド装置６０は、支持部材１９に保持部材６１を介してフック状ガイド６２が取付けられている点が、釣糸ガイド装置１０と異なっている。以下、保持部材６１及びフック状ガイド６２について詳しく説明する。
【００４２】
フック状ガイド６２は、フック部６３と、フック部６３の基部に連結され、保持部材６１によって仮固定可能な断面矩形（正方形を含む）の棒状の取付部６４とを有している。保持部材６１は、支持部材１９の第２の壁部２１の前側上部に配置され、フック状ガイド６２の取付部６４を下方から挿入可能な挿入孔６５を備えた保持部本体６６を有している。保持部本体６６には、挿入孔６５に挿入されたフック状ガイド６２の取付部６４を固定するロック手段の一例であるボルト６７が螺着される雌ねじ孔６８が前方から挿入孔６５まで設けられている。
【００４３】
また、フック状ガイド６２は、保持部材６１の挿入孔６５を摺動して、第１及び第２の滑りリング１２、１３の共通軸心に交叉する方向に進退可能で、かつ後退時（フック状ガイド６２を使用しない場合）には、第１及び第２の滑りリング１２、１３によって形成される円錐台の外側にフック状ガイド６２を移動して配置可能となっている。保持部材６１によって、フック状ガイド６２を釣糸の太さ及び釣り人の好みに合わせた位置に配置することができる。フック状ガイド６２の取付部６４の基端部（フック部６３と反対側）を折り曲げる、又は、基端部にストッパを設けてフック状ガイド６２が、保持部材６１から脱落しないようにすることもできる。
【００４４】
本発明は、前記した実施の形態に限定されるものではなく、本発明の要旨を変更しない範囲での変更は可能であり、例えば、前記したそれぞれの実施の形態や変形例の一部又は全部を組み合わせて本発明の釣糸ガイド装置を構成する場合も本発明の権利範囲に含まれる。
【００４５】
例えば、前記実施の形態の釣糸ガイド装置において、フック状ガイドは、第２の滑りリングを取付ける第２の滑りリング保持部を有する第２の壁部に取付けたが、第１の滑りリングを取付ける第１の滑りリング保持部を有する第１の壁部に取付けてもよい。また、フック状ガイドを保持部材を介して、第１及び第２の滑りリング１２、１３の共通軸心に交叉する方向に進退可能としたが、フック状ガイドをロッドアンテナのように形成して、伸縮可能としてもよい。
【図面の簡単な説明】
【００４６】
【図１】本発明の第１の実施の形態に係る釣糸ガイド装置の一部省略側断面図である。
【図２】（Ａ）は同釣糸ガイド装置の一部省略正面図、（Ｂ）は図２（Ａ）のＡ−Ａ断面図である。
【図３】（Ａ）は同釣糸ガイド装置の一部省略背面図、（Ｂ）は図３（Ａ）のＢ−Ｂ断面図である。
【図４】同釣糸ガイド装置の底面図である。
【図５】本発明の第２の実施の形態に係る釣糸ガイド装置の一部省略側断面図である。
【図６】同釣糸ガイド装置のフック状ガイドの説明図である。
【図７】同釣糸ガイド装置の一部省略正面図である。
【図８】同釣糸ガイド装置の変形例に係る第２の壁部の説明図である。
【図９】同釣糸ガイド装置の変形例に係る支持部材の説明図である。
【図１０】本発明の第３の実施の形態に係る釣糸ガイド装置の一部省略側断面図である。
【図１１】図１０のＣ−Ｃ断面図である。
【符号の説明】
【００４７】
１０：釣糸ガイド装置、１１：釣竿、１２：第１の滑りリング、１３：第２の滑りリング、１４：第１の滑りリング保持部、１５：第２の滑りリング保持部、１６：湾曲部、１７：第１の釣竿固定部、１８：第２の釣竿固定部、１９：支持部材、２０：第１の壁部、２１：第２の壁部、２２：連結部、２３：水抜き孔、３０：釣糸ガイド装置、３１：保持部材、３２：フック状ガイド、３３：湾曲部、３４：支持部材、３５：第２の壁部、３６：貫通孔、３７：フック部、３８：回動孔、３９：回動部、４０：凸部、４１：軸部、４２：リベット、４３、４４：凹部、４５：位置決め部材、４６：スプリングワッシャー、４７：かしめリング、４８：縦孔、４９：第２の壁部、５０：釣糸ガイド装置、５１：支持部材、５２：釣竿固定部、５３：第２の滑りリング保持部、５４：貫通孔、５５：第２の壁部、５６：第１の滑りリング保持部、５７：第１の壁部、６０：釣糸ガイド装置、６１：保持部材、６２：フック状ガイド、６３：フック部、６４：取付部、６５：挿入孔、６６：保持部本体、６７：ボルト、６８：雌ねじ孔
【図１】
2006025714.tif 000003
【図２】
2006025714.tif 000004
【図３】
2006025714.tif 000005
【図４】
2006025714.tif 000006
【図５】
2006025714.tif 000007
【図６】
2006025714.tif 000008
【図７】
2006025714.tif 000009
【図８】
2006025714.tif 000010
【図９】
2006025714.tif 000011
【図１０】
2006025714.tif 000012
【図１１】
2006025714.tif 000013